(57)【要約】【課題】シートロールのシートを、中腰姿勢を避けながら建物基礎の立ち上げ部に貼り付けていくことができるシート貼付作業具を提供する。【解決手段】シートロール１００を回転可能に支持する縦軸３と、上記縦軸３を支持する本体部２と、上記本体部２に設けられている水平軸回りに回転する第１ローラーガイド部８と、上記本体部２に設けられている垂直軸回りに回転する第２ローラーガイド部９とを備えており、利用者の操作によって上記第１ローラーガイド部８および上記第２ローラーガイド部９を建物基礎２００の立ち上げ部の上角部に接触させながら上記本体部２を上記上角部に沿って移動させることにより、上記縦軸３にセットされた上記シートロール１００におけるシート１０１が、当該シート１０１の上辺部に形成されている粘着テープ部１０１ａによって、上記上角部の側面側に貼られていく。【選択図】図８
2016023403.tif 000002
【特許請求の範囲】
【請求項１】
シートロールのシートを建物基礎の立ち上げ部に貼り付けるために用いるシート貼付作業具であって、上記シートロールを回転可能に支持する縦軸と、上記縦軸を支持する本体部と、上記本体部に設けられており、水平軸回りに回転するローラーを備える第１ローラーガイド部と、上記本体部に設けられており、垂直軸回りに回転するローラーを備える第２ローラーガイド部とを備えており、
利用者の操作によって上記第１ローラーガイド部および上記第２ローラーガイド部を建物基礎の立ち上げ部の上角部に接触させながら上記本体部を移動させることにより、上記縦軸にセットされた上記シートロールにおけるシートが、当該シートの上辺部に形成されている粘着テープ部によって、上記上角部の側面側に貼られるようにしたことを特徴とするシート貼付作業具。
【請求項２】
請求項１に記載のシート貼付作業具において、上記縦軸の下方に筆記具を保持する筆記具保持部が高さ調整可能に設けられていることを特徴とするシート貼付作業具。
【請求項３】
請求項２に記載のシート貼付作業具において、上記筆記具保持部が異なる高さで複数設けられていることを特徴とするシート貼付作業具。
【請求項４】
請求項１〜請求項３のいずれか１項に記載のシート貼付作業具において、当該シート貼付作業具を手で持つための把手が設けられていることを特徴とするシート貼付作業具。
【請求項５】
請求項４に記載のシート貼付作業具において、上記把手と上記縦軸は、棒状または筒状で互いの長さが異なり、相互交換可能であることを特徴とするシート貼付作業具。
【請求項６】
請求項１〜請求項５のいずれか１項に記載のシート貼付作業具において、上記第２ローラーガイド部は上記本体部の操作方向に列をなす２個のローラーを有し、上記粘着テープ部が上記操作方向先頭側のローラーに掛けられることを特徴とするシート貼付作業具。
【請求項７】
請求項１〜請求項６のいずれか１項に記載のシート貼付作業具において、上記第１ローラーガイド部と上記第２ローラーガイド部の組を２組み備えており、各組みが上記建物基礎の立ち上げ部の各上角部に接触することを特徴とするシート貼付作業具。
【発明の詳細な説明】
【技術分野】
【０００１】
この発明は、シートロールのシートを建物基礎の立ち上げ部に貼り付けていくことができるシート貼付作業具に関する。
【背景技術】
【０００２】
コンクリートの建物基礎を作製して型枠を外した後には、コンクリートの急激な乾燥を防止するために、養生用のシートロールを用いて建物基礎の立ち上げ部にシートを貼り付けることが行われる。このような作業は、作業者が中腰の姿勢で行う必要があり、体力が消耗し、腰痛の原因にもなる。また、同様の問題は、土間コンクリートの上端や下端に対応する線を建物基礎に引く墨出し作業でも生じている。さらに、上記墨出し作業では二人の作業者が必要になる。
【０００３】
ところで、特許文献１には、シートのロール体を保持するロール体保持具であって、ロール体の軸に挿通されロール体を支持する支持部を備え、前記支持部の少なくとも一端に鉤状のフックを備え、前記支持部の両端に跨ってハンドルを設けるとともに、前記フックは前記ハンドルの内側に収容可能に構成されたロール体保持具が開示されている。
【０００４】
また、特許文献２には、可撓性を有する補強材を被補強物に貼り付ける際に使用する作業装置であって、ロール状に巻かれた補強材のロール巻きを保持しつつ、引き出して展開するための引出口を有する枠体、および、当該枠体に取り付けられた、展開した繊維強化樹脂板に接着剤を塗布する機構を備えた補強材貼付作業装置が開示されている。
【先行技術文献】
【特許文献】
【０００５】
【特許文献１】特許第４１３７７４８号
【特許文献２】特開２００８−７３６５７号公報
【発明の概要】
【発明が解決しようとする課題】
【０００６】
しかしながら、上記ロール体保持具や補強材貼付作業装置では、シートロールのシートを、中腰姿勢を避けながら建物基礎の立ち上げ部に貼り付けていくことができない。
【０００７】
この発明は、上記の事情に鑑み、シートロールのシートを、中腰姿勢にならずに建物基礎の立ち上げ部に貼り付けていくことができるシート貼付作業具を提供することを課題とする。
【課題を解決するための手段】
【０００８】
上記の課題を解決するために、この発明の一態様に係るシート貼付作業具は、シートロールのシートを建物基礎の立ち上げ部に貼り付けるために用いるシート貼付作業具であって、上記シートロールを回転可能に支持する縦軸と、上記縦軸を支持する本体部と、上記本体部に設けられており、水平軸回りに回転するローラーを備える第１ローラーガイド部と、上記本体部に設けられており、垂直軸回りに回転するローラーを備える第２ローラーガイド部とを備えており、利用者の操作によって上記第１ローラーガイド部および上記第２ローラーガイド部を建物基礎の立ち上げ部の上角部に接触させながら上記本体部を移動させることにより、上記縦軸にセットされた上記シートロールにおけるシートが、当該シートの上辺部に形成されている粘着テープ部によって、上記上角部の側面側に貼られるようにしたことを特徴とする。
【０００９】
上記の構成であれば、上記建物基礎の立ち上げ部に上記第１ローラーガイド部および上記第２ローラーガイド部を接触させながら上記本体部を移動させることができるので、シートロールのシートを、中腰姿勢にならずに建物基礎の立ち上げ部に貼り付けていくことができる。
【００１０】
上記縦軸の下方に筆記具を保持する筆記具保持部が高さ調整可能に設けられるようにしてもよい。これによれば、土間コンクリートの下端や上端に対応するラインを上記建物基礎の立ち上げ部の側面に上記筆記具保持部に保持させた筆記具によって引く（墨出しする）作業を一人で中腰姿勢にならずに行うことができる。さらに、シート貼り作業と線引き作業を同工程に行うこともできる。
【００１１】
上記筆記具保持部が異なる高さで複数設けられていてもよい。これによれば、本体部の１回の移動により、土間コンクリートの下端および上端に対応する２本のラインを上記建物基礎の立ち上げ部の側面に上記２個の筆記具保持部に保持させた２本の筆記具にて引く（墨出しする）ことができる。
【００１２】
上記シート貼付作業具に当該シート貼付作業具を手で持つための把手が設けられていてもよい。これによれば、当該シート貼付作業具の持ち運びや操作が容易になる。
【００１３】
上記把手と上記縦軸は、棒状または筒状で互いの長さが異なり、相互交換可能であってもよい。これによれば、別個の縦軸を用意しなくても、ロール幅が異なるシートロールを用いたシート貼りを１個のシート貼付作業具で行うことが可能になる。
【００１４】
上記第２ローラーガイド部は上記本体部の操作方向に列をなす２個のローラーを有し、上記粘着テープ部が上記操作方向先頭側のローラーに掛けられるようにしてもよい。これによれば、上記操作方向先頭側のローラーで最初に上記粘着テープ部を上記上角部の側面に貼り、後続のローラーで上記粘着テープ部をさらに押さえ付けることができる。また、このように２個のローラーを備えると、本体部を安定してガイドすることができる。
【００１５】
上記第１ローラーガイド部と上記第２ローラーガイド部の組を２組み備えており、各組みが上記建物基礎の立ち上げ部の各上角部に接触するようにしてもよい。これによれば、利用者が上記本体部を支えなくても当該本体部を上記建物基礎の立ち上げ部上で自立させることができ、シート貼付作業具の操作が容易になる。
【発明の効果】
【００１６】
本発明であれば、シートロールのシートを、中腰姿勢にならずに建物基礎の立ち上げ部に貼り付けていくことができる。また、筆記具保持部を備える構成であれば、土間コンクリートの下端や上端に対応するラインを上記建物基礎の立ち上げ部の側面に引く作業を一人で中腰姿勢にならずに行えるという効果を奏する。
【図面の簡単な説明】
【００１７】
【図１】実施形態のシート貼付作業具を示した斜視図である。
【図２】実施形態のシート貼付作業具（シートロール装着状態）を示した斜視図である。
【図３】実施形態のシート貼付作業具（シートロール装着状態）を示した斜視図である。
【図４】実施形態のシート貼付作業具（シートロール装着状態）を示した斜視図である。
【図５】実施形態のシート貼付作業具（シートロール装着状態）を示した斜視図である。
【図６】実施形態のシート貼付作業具のローラーガイド部と建物基礎との関係を正面視で示した説明図である。
【図７】実施形態のシート貼付作業具のローラーガイド部と建物基礎の入隅との関係を平面視で示した説明図である。
【図８】実施形態のシート貼付作業具（シートロール装着状態）によるシート貼り作業を示した斜視図である。
【図９】他の実施形態のシート貼付作業具のローラーガイド部と建物基礎との関係を示した説明図である。
【発明を実施するための形態】
【００１８】
以下、この発明の一態様に係る実施の形態を添付図面に基づいて説明する。
図１、図２、図３、図４および図５に示すように、この実施形態のシート貼付作業具１の本体部２の下側には、例えば円筒形部材からなる縦軸３が設けられている。この縦軸３によって養生用のシートロール１００が回転可能に支持される。上記シートロール１００においては、シート１０１が例えば三枚折りされた状態で巻かれている。上記シート１０１の上辺部には粘着テープ部１０１ａが設けられている。上記粘着テープ部１０１ａの粘着面の一部である下辺側には、上記シートの上辺部が接着されている。一方、上記粘着面の上辺側部分の粘着によってロール状態が維持されるとともに上記シートを接着対象物に貼り付けることができる。このようなシートロール１００としてマスカーテープが知られている。
【００１９】
上記縦軸３の上端部には、螺子部３ａが形成されており、この螺子部３ａにナット３ｂが螺合されている。このナット３ｂよりも上に突出する上記螺子部３ａの部分が、上記本体部２に形成されている貫通孔に下から通され、ナット３ｅが締め付けられることにより、上記縦軸３が上記本体部２に固定される。なお、上記螺子部３ａの部分を上記貫通孔に通す長さを調整することによって、上記縦軸３の高さの調整を行うこともできる。
【００２０】
上記縦軸３の下端部には、鍔付きナット３ｃがその鍔部を上にして固定されている。上記鍔部によって上記シートロール１００の芯の下端が支持される。この支持状態において、上記シートロール１００におけるシート１０１の粘着テープ部１０１ａが後述する第２ローラーガイド部９の高さに位置する。また、上記鍔付きナット３ｃの下側に螺子部３ｄが突出している。この螺子部３ｄには、螺子棒から成る支持部材４が着脱可能に取り付けられる。
【００２１】
上記支持部材４の上端には、高ナット４ａが例えば溶接固定されており、この高ナット４ａの上側を上記螺子部３ｄに螺合させることができる。上記支持部材４には、筆記具を保持する２個の筆記具保持部５が高さ調整可能に設けられている。例えば、上記筆記具保持部５には貫通孔が形成されており、この貫通孔に上記支持部材４における螺子棒を通すことができる。そして、上ナット４ｂと下ナット（下ナットは図では筆記具保持部５で隠れている）により、所望の位置に上記筆記具保持部５を固定することができる。
【００２２】
各筆記具保持部５には、筆記具固定用の樹脂製の２個のバンド部５１が設けられている。上記バンド部５１には輪状箇所が形成されており、マーカーペンなどの筆記具６を２個のバンド部５１の各輪状箇所に差し込むことができる。そして、上記バンド部５１に取り付けられている蝶ボルト・ナット５２を用いて上記バンド部５１を締めることにより、上記筆記具６を上記筆記具保持部５に固定することができる。もちろん、筆記具保持部５はこのような構造に限らない。
【００２３】
上記本体部２には、当該シート貼付作業具１を手で持つための把手７が設けられている。この把手７は把手本体部７１と上記本体部２に固定されるＬ字部材７２とからなる。上記把手本体部７１は、例えば円筒形部材からなり、一端側に螺子穴部が形成されている。そして、上記Ｌ字部材７２の立ち上げ部の上部に形成されている貫通孔に挿通されたボルト７１ａが上記螺子穴部に螺合されることで、上記把手本体部７１が上記Ｌ字部材７２に着脱可能に固定される。上記Ｌ字部材７２における下側部は、ナット７２ａとボルト７２ｂとにより本体部２に固定されている。上記ボルト７２ｂは、上記本体部２に形成された貫通孔に下から通されている。また、上記下側部は上記ナット３ｅによっても固定され、把手７の下方に上記縦軸３が存在することになる。
【００２４】
上記把手本体部７１は  例えば上記縦軸３よりも細く短い形状を有する。また、上記把手本体部７１は  上記螺子穴部と反対の側にナット形状部７１ｂを備えており、さらに当該ナット形状部７１ｂから突出する螺子部７１ｃを有する。上記把手本体部７１と上記縦軸３は相互交換可能であり、当該把手本体部７１によって、例えば上記シートロール１００よりも幅が短くて芯が細いシートロールを支持することが可能である。このようなシートロールの芯の下端が支持される状態において、当該シートロールにおけるシートの粘着テープ部が上記第２ローラーガイド部９と同じ高さに位置することになる。また、上記螺子部７１ｃは上記縦軸３における螺子部３ｄと同じ螺子素材からなり、当該螺子部７１ｃを上記支持部材４の高ナット４ａに螺合させることができる。
【００２５】
上記本体部２は、垂直板部２１および水平板部２２を有する。上記垂直板部２１は上記把手７が設けられる側と反対の側に設けられる。上記垂直板部２１には、第１ローラーガイド部８が設けられている。この第１ローラーガイド部８のローラー８１は、上記垂直板部２１にナット８２によって固定された水平軸８３に支持されて縦回転する。また、上記第１ローラーガイド部８は、上記本体部２の操作方向（後述する建物基礎２００の延設方向）に列をなすように上記ローラー８１を２個有しており、これらはともに金属製とされている。
【００２６】
上記水平板部２２には、第２ローラーガイド部９が設けられている。この第２ローラーガイド部９のローラー９１は、上記水平板部２２にナット９２によって固定された垂直軸９３に支持されて横回転する。
【００２７】
また、上記第２ローラーガイド部９は、上記本体部２の操作方向に列をなすようにローラー９１を２個有している。そして、操作方向先頭側のローラー９１（９１ａ）に上記粘着テープ部１０１ａの背側（非粘着面）を掛けることができる。上記操作方向先頭側のローラー９１ａは樹脂製とされ、後続側のローラー９１ｂは金属製とされている。また、上記操作方向先頭側のローラー９１ａは、後続側のローラー９１ｂよりも幅が広くされており、上記シートロール１００におけるシート１０１の粘着テープ部１０１ａが上記ローラー９１ａから外れ難くなっている。
【００２８】
また、図６に示すように、上記第１ローラーガイド部８と上記第２ローラーガイド部９とは、上記第１ローラーガイド部８が建物基礎２００の立ち上げ部の上角部における基礎上面部に位置し、上記第２ローラーガイド部９が基礎側面部に位置する関係を有する。そして、上記第１ローラーガイド部８におけるローラー８１の周面の最下箇所と上記第２ローラーガイド部９におけるローラー９１の上面との間の間隔Ｄは例えば５ｍｍ程度とされている。
【００２９】
また、図７に示すように、上記ローラー９１ａは、上記本体部２の操作方向先端から操作方向に出っ張るように位置しており、上記ローラー９１ａで建物基礎２００の入隅の極力近くまで上記粘着テープ部１０１ａを貼り付けることができるようにしている。
【００３０】
図８に示すように、利用者の操作によって上記第１ローラーガイド部８および上記第２ローラーガイド部９を建物基礎２００の立ち上げ部の上角部に接触させながら上記本体部２を上記上角部に沿って移動させることにより、上記縦軸３にセットされた上記シートロール１００におけるシート１０１が、当該シート１０１の上辺部に形成されている粘着テープ部１０１ａによって、上記上角部の側面側に貼られていく。
【００３１】
このように、上記建物基礎２００の立ち上げ部に上記第１ローラーガイド部８および上記第２ローラーガイド部９を接触させて上記本体部２を移動させることができるので、上記シートロール１００のシート１０１を、中腰姿勢にならずに建物基礎２００の立ち上げ部に貼り付けていくことができる。
【００３２】
上記第２ローラーガイド部９が上記本体部２の操作方向に列をなす２個のローラー９１を有し、上記粘着テープ部１０１ａが上記操作方向先頭側のローラー９１ａに掛けられるようにしているので、上記操作方向先頭側のローラー９１ａで最初に上記粘着テープ部１０１ａの粘着面を上記上角部の側面に貼り、後続のローラー９１ｂで上記粘着テープ部１０１ａをさらに押さえ付けることができる。
【００３３】
また、このようにローラー９１を２個備えていると、本体部を安定してガイドすることができる。同様に、上記第１ローラーガイド部８がローラー８１を２個備えていることでも、本体部２を安定的にガイドできることになる。
【００３４】
また、上記本体部２に把手７が設けられている構造であれば、シート貼付作業具１の持ち運びや操作が容易になる。上記把手７の方向は、上記シート貼付作業具１の操作方向と平行でもよいし、交差してもよい。なお、上記把手７を上記シート貼付作業具１の操作方向と平行に配置しているので、上記建物基礎２００の立ち上げ部の上面から突出するアンカーボルトに手が当たり難くなっている。
【００３５】
上記把手７と上記縦軸３が、棒状または筒状で互いの長さが異なり、相互交換可能に構成されていると、別個の縦軸を用意しなくても、ロール幅が異なるシートロールを用いたシート貼りを１個のシート貼付作業具１で行うことが可能になる。なお、建物基礎２００の屋外側と土間側で異なる幅のシートを用いることがある。
【００３６】
上記縦軸３の下方に筆記具保持部５が高さ調整可能に設けられていると、図８に示したように、土間コンクリートの下端や上端に対応するラインを上記建物基礎２００の立ち上げ部の側面に上記筆記具保持部５に保持させた筆記具６によって引く（墨出しする）作業を一人で中腰姿勢にならずに行うことができる。さらに、シート貼り作業と線引き作業を同工程で行うこともできる。
【００３７】
また、上記筆記具保持部５が異なる高さで２個設けられていていると、本体部２の１回の移動により、土間コンクリートの下端および上端に対応する２本のラインを上記建物基礎２００の立ち上げ部の側面に上記２個の筆記具保持部５に保持させた２本の筆記具６にて引く（墨出しする）ことができる。
【００３８】
図９に示すシート貼付作業具１は、上記第１ローラーガイド部８と上記第２ローラーガイド部９の組を本体部２に２組み備えている。各組みの上記第１ローラーガイド部８におけるローラー８１および上記第２ローラーガイド部９におけるローラー９１は、上記建物基礎２００の立ち上げ部の各上角部に接触する。このような構成であれば、利用者が上記本体部２を持たなくても当該本体部２が上記建物基礎２００の立ち上げ部上で自立するので、シート貼付作業具１の操作が容易になる。なお、上記建物基礎２００の立ち上げ部上から突出するアンカーボルトを避けるために、当該立ち上げ部の上面に位置する上記本体部２の高さを高くしておくのが望ましい。
【００３９】
また、上記建物基礎２００の立ち上げ部を挟むローラー９１を、当該立ち上げ部を挟む方向にバネ等によって付勢することにより、上記立ち上げ部の幅が多少異なる場合でも、安定して上記シートロール１００のシート１０１を貼ることができる。なお、２組の第２ローラーガイド部９を例えば水平螺子棒で連結しナット位置の変更により互いの間隔を調整できる構成としてもよい。
【００４０】
また、上記図９に示す構造において、上記縦軸３を２本備え、上記建物基礎２００の立ち上げ部の両側にそれぞれ縦軸３が位置できるようにしてもよい。これによれば、上記建物基礎２００の立ち上げ部の両側に同時に上記粘着テープ部１０１ａの粘着面を貼っていくことができる。
【００４１】
なお、上記シート貼付作業具１がシートロール１００のシート１０１を切断するカッターを備えてもよい。また、基礎上面がない基礎開口部に、基礎上面となるアダプターをセットし、仮の基礎上面を形成することで上記シート貼付作業具１を連続的に操作することが可能である。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４３】
１      シート貼付作業具
２      本体部
３      縦軸
４      支持部材
５      筆記具保持部
６      筆記具
７      把手
８      第１ローラーガイド部
８１    ローラー
９      第２ローラーガイド部
９１    ローラー
９１ａ  操作方向先頭側のローラー
１００  シートロール
１０１  シート
１０１ａ粘着テープ部
【図１】
2016023403.tif 000003
【図２】
2016023403.tif 000004
【図３】
2016023403.tif 000005
【図４】
2016023403.tif 000006
【図５】
2016023403.tif 000007
【図６】
2016023403.tif 000008
【図７】
2016023403.tif 000009
【図８】
2016023403.tif 000010
【図９】
2016023403.tif 000011